(57)【特許請求の範囲】
【請求項１】
第１方向及び前記第１方向に垂直な第２方向に配置され且つデルタ配列された複数のドットを含んでおり、前記第１及び第２方向で以てマトリクス状に規定された複数の画素から成る画面と、
画像データを取得し、前記画像データに所定処理を施し、処理後の画像データに基づいて前記複数のドットを制御することにより、前記画面を駆動する駆動部と、を備え、前記駆動部は、表示画像の複数の走査線を前記画面上の所定位置に割り当てた第１表示形態と前記第１表示形態を前記第１方向にずらした第２表示形態とを交互に切り替えるように前記画面を駆動し、
前記第１表示形態と前記第２表示形態とにおいて対応する画素内のドット配列は異なり、
前記所定処理は、各画素において、前記第１方向の輝度重心が、前記表示画像の対応する走査線が割り当てられた前記画面上の位置に大略一致するように、前記画像データを補正する処理を含む、
表示装置。
【請求項２】
請求項１に記載の表示装置であって、
前記所定処理は、
前記画像データが前記画面よりも多い走査線で以て形成されている場合に、前記画像データに対応の画像をインタレース分割して得られる複数の画像に対応する複数の画像データを前記画像データから生成する処理と、
前記複数の画像の走査線を利用して前記複数の画像データを合成する処理と、を含む、
表示装置。
【発明の詳細な説明】
【０００１】
【発明の属する技術分野】
本発明は表示装置に関し、具体的にはマトリクス配列型画素で構成された画面を備えた表示装置において例えば垂直解像度の改善により表示品質を向上させる技術に関する。
【０００２】
【従来の技術】
図３２〜図３４に第１の従来技術に係る表示装置を説明するための模式図を示す。なお、図３２〜図３４は特開２００１−２９０４６２号公報の図４及び図５にあたり、表示装置の一例としてプラズマディスプレイ装置が開示されている。当該表示装置では、各画素において表示色が赤（Ｒ）、緑（Ｇ）及び青（Ｂ）の３つのドット（サブピクセル）がデルタ形（３角形）に配置されており、図中に破線で囲んだドット群が１つの表示ライン（走査線）を成す。当該表示装置では、図３４中のドットａ，ｂを含む表示ラインとドットａ，ｃを含む表示ラインとフィールド毎に切り替えてインタレース表示を行う。この表示方法によれば、画面の走査線数を増やすことなく擬似的にインタレース表示を行うことでき、垂直解像度を向上することができる。なお、このような表示方式は液晶ディスプレイ（ＬＣＤ）において既に実用化されている。
【０００３】
図３５に第２の従来技術に係る表示装置を説明するための模式図を示す。なお、図３５は特開２００１−２９０４６２号公報の図９にあたる。当該表示装置では奇フィールドと偶フィールドとで画像信号の垂直位置を、換言すれば表示画像を全体的にスキャン電極のピッチの１／２だけずらす。このようなインタレース表示によっても垂直解像度を向上することができる。このような表示方式は例えば特開平７−１６８５４２号公報には「ペアライン駆動」の方式として開示されている。また、当該公報には、デルタ配列されたドットに対応してデータ電極が蛇行する場合において、データとドットの位置とを整合させるために、蛇行による位置ずれ分についてデータを補正する方法が開示されている。
【０００４】
【発明が解決しようとする課題】
デルタ配列型画素がマトリクス状に配置された画面において３角形の組み合わせを変化させて疑似インタレース表示を行う場合、各ドットに、対応の画像データを単に入力するたけでは、画素の表示色によっては垂直方向の輝度重心が大きく変化してしまう。このような輝度重心の位置は、インタレースによる垂直解像度の向上効果を低減させ、空間周波数の高いノイズ成分を発生させてしまうという問題点がある。
【０００５】
例えば図３４においてドットａを交互に並ぶＢ及びＲのドットとし、両ドットｂ，ｃをＧのドットとすると、プラズマディスプレイパネル（ＰＤＰ）に用いられる一般的な蛍光体の輝度比はＧ：（Ｂ＋Ｒ）＝６：４程度になるので、例えば白を表示する場合、輝度重心は垂直方向（図面上下方向）についてＧのドットとＢ及びＲのドットとの間の中心付近になる。このため、２つの表示ラインにおいてＧのドットをドットｂとドットｃとで切り替えても（Ｇのドットを上下反転させても）輝度重心の移動はおおむね画素の高さの１／２（中心）である。つまり、表示ラインの切り替え前後において各画素の輝度重心は変化しない。
【０００６】
これに対して、例えばシアンを表示する場合、Ｇ：（Ｂ＋Ｒ）＝６：１なので、輝度重心は画素の高さ方向（垂直方向）の中心から大きく外れてしまう。かかる場合、Ｇのドットを反転させてもインタレースによる所望の垂直解像度向上が得られず、むしろノイズ成分を重畳した表示になってしまう。
【０００７】
つまり、Ｇ：（Ｂ＋Ｒ）＝１：１を満たす場合のみが理想的であり、それ以外の場合は空間ノイズを含んでしまう。
【０００８】
このようなノイズを緩和する方法の一つとして、Asia Display/IDW'01 Proceedings p.789に開示される方法が挙げられる。該文献には、デルタ配列型画素を有するＰＤＰにおいて、表示ドットの上下のドットにデータを配分する方法（該文献のFigure ３参照）と、下側のドットのみにデータを配分する方法（該文献のFigure ４参照）と、が開示されている。この方法によれば、垂直成分を分散させることができるためノイズ成分を低減することができるが、その反面、垂直解像度は低下してしまう。つまり、これらはトレードオフの関係にある。なお、上下へのデータ配分を増やすとノイズ成分がより低減するが、垂直解像度はさらに低下する。
【０００９】
本発明はかかる点に鑑みてなされたものであり、マトリクス配列型画素で構成された画面を備え、例えば垂直解像度の改善により表示品質が向上した表示装置を提供することを目的とする。
【００１０】
【課題を解決するための手段】
請求項１に記載の表示装置は、第１方向及び前記第１方向に垂直な第２方向に配置され且つデルタ配列された複数のドットを含んでおり、前記第１及び第２方向で以てマトリクス状に規定された複数の画素から成る画面と、画像データを取得し、前記画像データに所定処理を施し、処理後の画像データに基づいて前記複数のドットを制御することにより、前記画面を駆動する駆動部と、を備え、前記駆動部は、表示画像の複数の走査線を前記画面上の所定位置に割り当てた第１表示形態と前記第１表示形態を前記第１方向にずらした第２表示形態とを交互に切り替えるように前記画面を駆動し、前記第１表示形態と前記第２表示形態とにおいて対応する画素内のドット配列は異なり、前記所定処理は、各画素において、前記第１方向の輝度重心が、前記表示画像の対応する走査線が割り当てられた前記画面上の位置に大略一致するように、前記画像データを補正する処理を含む。
【００１１】
請求項２に記載の表示装置は、請求項１に記載の表示装置であって、前記所定処理は、前記画像データが前記画面よりも多い走査線で以て形成されている場合に、前記画像データに対応の画像をインタレース分割して得られる複数の画像に対応する複数の画像データを前記画像データから生成する処理と、前記複数の画像の走査線を利用して前記複数の画像データを合成する処理と、を含む。
【００１９】
【発明の実施の形態】
＜実施の形態１〜４に共通の部分＞
図１に本発明に係る表示装置１００の模式的なブロック図を示す。図１に示すように、表示装置１００は、表示部１０１と、各種の駆動信号ないしは駆動電圧を表示部１０１に供給する駆動部１０２と、に大別される。ここでは、表示部１０１がいわゆる３電極面放電型の交流型（ＡＣ型）プラズマディスプレイパネル（ＰＤＰ）で構成され、表示装置１００がプラズマディスプレイ装置にあたる場合を一例に挙げて説明する。このため、表示部１０１をＰＤＰ１０１とも呼ぶ。
【００２０】
なお、３電極面放電型のＡＣ型ＰＤＰに変えて、表示部１０１に種々の構造のＰＤＰ（ＡＣ型、ＤＣ型を問わない）を用いることもできる。さらに、ＰＤＰに変えて、例えば、液晶ディスプレイ（ＬＣＤ）、有機エレクトロルミネッセントディスプレイ（ＯＥＬＤ）、デジタルマイクロミラーデバイス（ＤＭＤ）を用いたプロジェクター、ＬＥＤ配列型ディスプレイ（各色のＬＥＤチップが配列されて成る）等で以て表示部１０１を構成することも可能である。このとき、表示部１０１に適用されるディスプレイに応じて駆動部１０２が適宜変形されることは言うまでもない。
【００２１】
図２に表示部１０１の画面１０１Ａを説明するための模式図を示す。画面１０１Ａにおいて、複数のドット（ないしはサブピクセル）Ｃが垂直方向（ないしは第１方向）ｖ及び水平方向（ないしは第２方向）ｈに配置されており、当該複数のドットＣは画面１０１Ａ全体に渡ってデルタ配列されている。なお、図２では画面１０１Ａの一部（ここでは左上の隅）を図示しており、以下の説明では図２に図示した範囲のドットＣについて主に述べる。
【００２２】
複数のドットＣは垂直方向ｖ及び水平方向ｈそれぞれに等ピッチで並んでおり（もちろん垂直方向ｖ及び水平方向ｈのピッチが同じであっても良い）、水平方向ｈに並ぶドット群について、垂直方向ｖに隣接する当該ドット群は水平方向ｈにドットＣのピッチの半分だけずれており、垂直方向ｖに並ぶドット群の複数についても同様である。なお、必要に応じて、水平方向ｈに並ぶドット群が成す画面１０１Ａ上の行ＬをＬ１，Ｌ２，…と呼び、例えば行Ｌ１に属するドットＣをＣ１１，Ｃ１３，Ｃ１５，…と又例えば行Ｌ２に属するドットＣをＣ２２，Ｃ２４，Ｃ２６，…と呼ぶことにする。
【００２３】
なお、以下の説明では、例えばドットＣ１１を「Ｃ［１，１］」のようにも表記する。また、後述のデータＤ１１，Ｒ１１，Ｇ１１，Ｂ１１等についても同様に表記する。
【００２４】
表示部１０１において垂直方向ｖに並ぶドットＣの表示色は同じである（ＰＤＰの場合、同じ発光色の蛍光体が配置されている）。ここではドットＣ１１，Ｃ３１，…，ドットＣ２４，Ｃ４４，…等の表示色が赤（Ｒ）とし、ドットＣ２２，Ｃ４２，…，ドットＣ１５，Ｃ３５，…等の表示色が緑（Ｇ）とし、ドットＣ１３，Ｃ３３，…，ドットＣ２６，Ｃ４６，…等の表示色が青（Ｂ）とする。つまり、表示部１０１の画面１０１Ａには、Ｒ，Ｇ，Ｂのドット群が水平方向ｈに順番に繰り返し並んでいる。
【００２５】
そして、画面１０１Ａは、垂直方向ｖ及び水平方向ｈで以てマトリクス状に規定された複数の画素Ｐに区画される。なお、図２では例えば３つのドットＣ１１，Ｃ１３，Ｃ２２が１つの画素Ｐを成す場合を図示しているが、後述の説明から明らかなように画素Ｐの選定は図２の図示に限られない。
【００２６】
なお、図２では説明のためにドットＣをチェック状に図示しているが、図３２に示すように例えばＰＤＰでは隔壁（バリアリブ）等の形状の工夫によってドットＣを密接させることも可能である。また、図２のような図示化によってもデルタ配列されたドットＣ及びマトリクス配列された画素Ｐを有する画面１０１Ａの一般性を失うことはない。
【００２７】
３電極面放電型のＡＣ型ＰＤＰ１０１では各放電セル（各表示セル）が各ドットＣに対応し、ドットＣの表示状態は放電セルの発光状態に対応する。ＰＤＰ１０１は（行）電極対Ｘ1，Ｙ1〜ＸN，ＹNとこれらに放電空間を介して立体交差する（列）電極Ｗ1〜ＷMとを備えており（図１参照）、各放電セルは１つの電極対Ｘ，Ｙと１つの電極Ｗとを含んでいる（１つの電極対Ｘ，Ｙと１つの電極Ｗとで規定される）。これらの電極Ｘ，Ｙ，Ｗへの印加電圧によって各放電セルの発光状態が制御される。
【００２８】
図１に戻り、駆動部１０２を説明する。駆動部１０２は、表示部１０１に接続されており、画面１０１Ａを駆動する。このとき、駆動部１０２は、画像データを入力信号ＶＩＮとして取得し、当該画像データに所定処理を施し、処理後の画像データに基づいて複数のドットＣの表示状態を、例えばいわゆるサブフィールド階調法によって制御する。
【００２９】
具体的には、駆動部１０２は、標本化部ないしはアナログ／デジタル変換器（以下「Ａ／Ｄ」とも呼ぶ）１２０、フレームメモリ１３０、制御部１１０、Ｙ電極駆動回路１４１、Ｘ電極駆動回路１４２、及びＷ電極駆動回路１４３を含んでいる。ＰＤＰ１０１の行電極Ｘ1〜ＸN，Ｙ1〜ＹN及び列電極Ｗ1〜ＷMは例えば図示しないフレキシブルプリント配線板を介して駆動部１０２と電気的に接続されている。具体的には、行電極Ｙ1〜ＹNはそれぞれＹ電極駆動回路１４１の各出力端に接続されており、行電極Ｘ1〜ＸNはＸ電極駆動回路１４２に共通に接続されており、列電極Ｗ1〜ＷMはそれぞれＷ電極駆動回路１４３の各出力端に接続されている。
【００３０】
次に、駆動部１０２の基本的な動作ないしはＰＤＰ１０１の駆動方法を説明する。駆動部１０２内では、先ず、画像データを与える入力信号ＶＩＮがＡ／Ｄ１２０によってアナログデジタル変換され、このＡ／Ｄ１２０から出力されるデジタルの画像データはフレームメモリ１３０に蓄えられる。なお、入力信号ＶＩＮが上記デジタル信号の場合には当該信号を駆動部１０２へ直接入力し、これをフレームメモリ１３０に蓄えるように構成しても良い。即ち、駆動部１０２が画像データを取得可能であれば、入力信号ＶＩＮはアナログ信号とデジタル信号とのいずれでも構わない。
【００３１】
その後、制御部１１０は、フレームメモリ１３０に蓄えられているデータを読み出し、それらに基づいて、Ｙ電極駆動回路１４１，Ｘ電極駆動回路１４２及びＷ電極駆動回路１４３をそれぞれ駆動・制御する各種制御信号を、対応する各駆動回路１４１〜１４３へ出力する。そして、上記制御信号を受けて、上記駆動回路１４１〜１４３は、走査パルス（ないしはスキャンパルス）やアドレスパルス（ないしは書き込みパルス）やプライミングパルスや維持パルス等の各駆動信号ないしは各駆動電圧をＰＤＰ１０１の対応する電極へ印加し、これによりＰＤＰ１０１のドットＣを制御する。
【００３２】
次に、図３に１フレーム分の画像データＤの構成を説明するための模式図を示す。なお、画像データＤはプログレッシブ信号（ないしはノンインタレース信号）に対応する。図３では、表示する画像上にマトリクス状に規定された各地点に、各地点の色に関する色データＤ１１，Ｄ１２，…を対応付けて図示している。各色データＤ１１，Ｄ１２，…は赤色（Ｒ），緑色（Ｇ）及び青色（Ｂ）に関する各データ（より具体的には輝度データ）を含む。例えば、色データＤ１１はＲ，Ｇ及びＢに関する各データＲ１１，Ｇ１１，Ｂ１１を含む。なお、色データＤのＲ，Ｇ及びＢに関する各データの符号はその色データの符号中の”Ｄ”を”Ｒ”，”Ｇ”，”Ｂ”で置き換えて表記するものとする。
【００３３】
図３のデータ構成を有する画像データＤがインタレース信号として表示装置１００に入力される場合、画像データＤの色データＤ１１等は奇フィールド分の画像データＤＯと偶フィールド分の画像データＤＥとに分けられる。具体的には、図４の模式的なデータ構成図に示すように、奇フィールド分の画像データＤＯは、表示する画像上で規定された第１，第３及び第５番目の行又は走査線ＩＬ１，ＩＬ３，ＩＬ５に対応する色データＤ１１，Ｄ１２，Ｄ３１，Ｄ３２，Ｄ５１，Ｄ５２を含む。他方、図５の模式的なデータ構成図に示すように、偶フィールド分の画像データＤＥは、画像上における第２，第４及び第６番目の行（又は走査線）ＩＬ２，ＩＬ４の色データＤ２１，Ｄ２２，Ｄ４１，Ｄ４２を含む。なお、各走査線ＩＬ１〜ＩＬ６の色データの群を「行データ」又は「走査線データ」と呼ぶ。例えば第１番目の走査線ＩＬ１の走査線データは色データＤ１１，Ｄ１２を含む。
【００３４】
駆動部１０２はプログレッシブ信号とインタレース信号とのいずれをも入力信号ＶＩＮとして受信可能であり、換言すれば画像データＤ，ＤＯ，ＤＥのいずれをも取得することが可能である。このとき、上述のように駆動部１０２はアナログ信号又はデジタル信号として入力信号ＶＩＮを（従って画像データＤ，ＤＯ，ＤＥを）取得可能に構成される。更に、駆動部１０２は２フィールド分の画像データＤＯ，ＤＥをフレームメモリ１３０に蓄積することによって、プログレッシブ信号Ｄに相当の信号を生成可能に構成されている。また、逆に、表示装置１００は、プログレッシブ信号から２フィールド分の画像データＤＯ，ＤＥに相当の信号を生成可能に構成されている。なお、以下の説明では、駆動部１０２が生成して取得した上述の相当信号をもプログレッシブ信号及びインタレース信号と呼ぶことにする。
【００３５】
ＰＤＰ１０１の各ドットＣへのデータＲ１１，Ｇ１１，Ｂ１１等の割り当ては、駆動部１０２が例えばサブフィールド法における書き込み動作によって制御する。
【００３６】
＜実施の形態１＞
まず、表示装置１００の実施の形態１に係る動作に関連の動作として基本的な疑似インタレース表示を説明する。ここでは、駆動部１０２が取得する画像データがインタレース信号に対応し、又、１つの画素Ｐがデルタ配列された３つのドットＣで形成される場合（図６及び図７中の破線の三角を参照）、即ちデルタ配列型画素の場合を説明する。
【００３７】
基本的な疑似インタレース表示では、図６及び図７の模式図に示すように各ドットＣにデータを割り当てる。まず、図２をも参照しつつ図４の奇フィールドＤＯのデータは図６に示すように割り当てる。すなわち、Ｒのデータについて、Ｃ［３，１］＝Ｒ［３，１］，Ｃ［３，７］＝Ｒ［３，３］，…，Ｃ［２，４］＝Ｒ［３，２］，Ｃ［２，１０］＝Ｒ［３，４］，…。また、Ｇのデータについて、Ｃ［２，２］＝Ｇ［３，１］，Ｃ［２，８］＝Ｇ［３，３］，…，Ｃ［３，５］＝Ｇ［３，２］，Ｃ［３，１１］＝Ｇ［３，４］，…。また、Ｂのデータについて、Ｃ［３，３］＝Ｂ［３，１］，Ｃ［３，９］＝Ｂ［３，３］，…，Ｃ［２，６］＝Ｂ［３，２］，Ｃ［２，１２］＝Ｂ［３，４］，…。
【００３８】
つまり、ｋ＝０，１，２，…，ｊ＝０，１，２，…として、
0003839332.tif 000002
と表わされる。ただし、Ｃ［ｐ，ｑ］において、ｐ，ｑは同時に奇数又は同時に偶数である。
【００３９】
他方、図５の偶フィールドＤＥのデータは図７に示すように割り当てる。すなわち、Ｒのデータについて、Ｃ［３，１］＝Ｒ［４，１］，Ｃ［３，７］＝Ｒ［４，３］，…，Ｃ［２，４］＝Ｒ［２，２］，Ｃ［２，１０］＝Ｒ［２，４］，…。また、Ｇのデータについて、Ｃ［２，２］＝Ｇ［２，１］，Ｃ［２，８］＝Ｇ［２，３］，…，Ｃ［３，５］＝Ｇ［４，２］，Ｃ［３，１１］＝Ｇ［４，４］，…。また、Ｂのデータについて、Ｃ［３，３］＝Ｂ［４，１］，Ｃ［３，９］＝Ｂ［４，３］，…，Ｃ［２，６］＝Ｂ［２，２］，Ｃ［２，１２］＝Ｂ［２，４］，…。
【００４０】
つまり、ｋ＝０，１，２，…，ｊ＝０，１，２，…として、
0003839332.tif 000003
と表わされる。ただし、Ｃ［ｐ，ｑ］において、ｐ，ｑは同時に奇数又は同時に偶数である。
【００４１】
このとき、例えば、図６に示すように奇フィールドでは画面１０１Ａ上の第４及び第５番目の行Ｌ２，Ｌ３で以て画像上の走査線ＩＬ３が表示され（第１表示形態）、図７に示すように偶フィールドでは画面１０１Ａ上の第１及び第２番目の行Ｌ１，Ｌ２並びに第３及び第４番目の行Ｌ３，Ｌ４で以て画像上の走査線ＩＬ２，ＩＬ４が表示される（第２表示形態）。つまり、第２表示形態は第１表示形態を垂直方向ｖにドット配列の１ライン（１行）分ずらした形態にあたり、疑似インタレースでは第１表示形態と第２表示形態とを交互に切り替える。なお、画像（画像データＤＯ，ＤＥ）上の走査線ＩＬ２等を表示する画面１０１Ａの２本の行Ｌ１，Ｌ２等が「画面１０１Ａの走査線」にあたり、画面１０１Ａの走査線は第１表示形態と第２表示形態とで上記１ライン分ずれている。このとき、２つの表示形態との間で、例えば、３つのドットＣ２２，Ｃ３１，Ｃ３３から成る画素Ｐと３つのドットＣ４２，Ｃ３１，Ｃ３３から成る画素Ｐとが対応し、両表示形態間で画素Ｐ内におけるドットＣのデルタ配列（３角形）が上下反転している。
【００４２】
なお、図３のプログレッシブ信号については例えば偶奇フィールドＤＥ，ＤＯを平均化すれば良い。このとき、例えばＲのデータは、ｋ＝０，１，２，…，ｊ＝０，１，２，…として、
0003839332.tif 000004
で与えられる。
【００４３】
さて、上述のように各ドットＣに、対応のデータを単に入力するだけでは、両表示形態間で画素Ｐの垂直方向ｖにおける輝度重心が大きく変化してしまう場合がある。その結果、垂直解像度の向上効果が低減し、空間周波数の高いノイズ成分が発生する。
【００４４】
そこで、表示装置１００の実施の形態１に係る動作では、第１及び第２表示形態における各画素Ｐにおいて垂直方向ｖの輝度重心の位置が同じになるようにデータ配分の演算処理を行う。ここで、輝度重心とは、所定の発光領域（例えば各ドットＣ）の中央点（中心点）に該発光領域の発光輝度分のウエイトがかかった場合の重心を言う。このとき、例えば図２の画面１０１ＡにおいてドットＣ１１，Ｃ１３，Ｃ２２についての垂直方向ｖの輝度重心は、ドットＣ２２の中心とドットＣ１１，Ｃ１３及びそれらの間の領域（ここでは発光しないものとする）から成る発光領域の中心とを結ぶ線分（垂直方向ｖに延びている）をドットＣ２２の輝度とドットＣ１１，Ｃ１３の合計輝度との比で分割して得られる分割点の位置として与えられる。
【００４５】
具体的には、駆動部１０２は、各画素Ｐにおいて、垂直方向ｖの輝度重心が、表示画像の対応する走査線が割り当てられた画面１０１Ａ上の位置に大略一致するように、画像データを補正する。
【００４６】
なお、表示画像の複数の走査線は画面１０１Ａの複数の走査線（それぞれは水平方向ｈに延び、垂直方向ｖに並んでおり、全体としてストライプ状をしている）にそれぞれ割り当てられて表示される。画面１０１Ａの走査線は上述のように例えば２本の行Ｌ１，Ｌ２等に対応し、現実的には垂直方向ｖに幅を有している。このため、画面１０１Ａの走査線の幅中心（線）の位置を「（表示画像の又は画面１０１Ａの）走査線の位置」や「（対応する）信号の位置」のように表現する。ここでは、第１及び第２表示形態において、走査線の位置が画素Ｐの垂直方向ｖにおける中央に在る場合を説明する。図８〜図１０に表示装置１００の実施の形態１に係る動作を説明するための模式図を示す。
【００４７】
例えば輝度データがＲ＝１００，Ｇ＝１００，Ｂ＝１００の場合にＰＤＰ１０１の蛍光体の輝度比がＲ：Ｇ：Ｂ＝３：６：１であるとすると、デルタ配列された３つのドットＣ１，Ｃ２，Ｃ３を含みＧのドットＣ２を頂点とする画素Ｐにおいて、垂直方向ｖの輝度重心ＫＪはＧ：（Ｒ＋Ｂ）＝６：４で表される。つまり、垂直方向ｖの輝度重心ＫＪが信号の位置とずれている。
【００４８】
上述の例以外の任意の輝度データの場合、このずれ量はさらに大きくなることも生じうる。ずれが最も大きいのはＧのみを表示する場合やＧのみを表示しない場合であり、これらの場合、実際の輝度重心ＫＪは垂直方向ｖにおいてＲ及びＢの行の中心になる。
【００４９】
なお、ここでは垂直解像度に関係する垂直方向ｖの輝度重心ＫＪについて述べるが、垂直方向ｖ及び水平方向ｈの双方の情報（輝度）に基づいた画素Ｐの２次元的な重心位置を図８中に×印で示す。
【００５０】
理想的なインタレース表示を行うには常に輝度比がＧ：（Ｒ＋Ｂ）＝１：１である必要がある。そこで、実施の形態１に係る動作では、例えば、ＧのドットＣ２の輝度がＲのドットＣ１とＢのドットＣ３との合計輝度よりも大きい場合には、ＲのドットＣ１及びＢのドットＣ３が属する行に関してＧのドットＣ２とは反対側に在る（対照位置に在る）ＧのドットＣ５の輝度を制御することにより、垂直方向ｖにおける輝度重心ＫＪをちょうどＧのドットＣ２の行とＲ，ＢのドットＣ１，Ｃ３の行との中点に設定する、換言すれば信号の位置に設定する（図９参照）。逆に、ＧのドットＣ２の輝度がＲのドットＣ１とＢのドットＣ３との合計輝度よりも小さい場合には、ＧのドットＣ２の行に関してＲ，ＢのドットＣ１，Ｃ３とは反対側に在るＲ，ＢのドットＣ４，Ｃ６の輝度を制御することにより、輝度重心ＫＪを信号の位置に設定する（図１０参照）。ここでは、このような補正方法を「垂直重心補正法」と呼ぶことにする。
【００５１】
具体的には、注目している画素ＰにおけるＲ，Ｇ，ＢのドットＣ１，Ｃ２，Ｃ３の輝度をＬＲ１，ＬＧ２，ＬＢ３とし、入力された画像データにおけるドットＣ１，Ｃ２，Ｃ３の輝度データ（すなわち補正前の輝度データ）をＤＲ，ＤＧ，ＤＢとする。また、当該注目している画素Ｐの補正に利用するＲ，Ｇ，ＢのドットＣ４，Ｃ５，Ｃ６の補正のための輝度をＬＲ４，ＬＧ５，ＬＢ６とする。
【００５２】
また、Ｒ，Ｇ，Ｂに同じ値の輝度データが入力された時の輝度比（ＰＤＰにおいては蛍光体の輝度比）を
Ｒ：Ｇ：Ｂ＝ＫＲ：ＫＧ：ＫＢ
とする。このとき、補正をしない場合（換言すれば上述の基本の疑似インタレース表示の場合）、
ＬＲ１＝ＫＲ×ＤＲ
ＬＧ２＝ＫＧ×ＤＧ
ＬＢ３＝ＫＢ×ＤＢ
である。
【００５３】
ここで、
ｗ≡ＬＧ２／（ＬＲ１＋ＬＢ３）
とする。
【００５４】
すべての行（図２の行Ｌ１等を参照）が均一ピッチで配置されている場合に垂直方向ｖに関して（信号の位置とＧのドットＣ２の中心との距離）：（信号の位置とＧのドットＣ５の中心との距離）＝１：３であることに鑑みると、ｗ＞１のとき、
ＬＧ２＝ＬＲ１＋ＬＢ３＋３×ＬＧ５
ＬＧ２＋ＬＧ５＝ＫＧ×ＤＧ
を満たすことにより、輝度重心ＫＪが信号の位置に一致する。
【００５５】
すなわち、各ドットＣ１，Ｃ２，Ｃ３の輝度データＤＲ，ＤＧ，ＤＢの補正後の輝度データをＤＲ１，ＤＧ２，ＤＢ３とし、ドットＣ４，Ｃ５，Ｃ６の補正用輝度データをＤＲ４，ＤＧ５，ＤＢ６とすると、
ＤＲ１＝ＤＲ
ＤＲ４＝０
ＤＧ２＝ＤＧ×（３＋１／ｗ）／４
ＤＧ５＝ＤＧ×（１−１／ｗ）／４
ＤＢ３＝ＤＢ
ＤＢ６＝０
と表せる。
【００５６】
他方、ｗ＜１のときは、同様に、
ＬＲ１＋ＬＢ３＝ＬＧ＋３×（ＬＲ４＋ＬＢ６）
ＬＲ１＋ＬＲ３＝ＫＲ×ＤＲ
ＬＢ３＋ＬＢ３＝ＫＢ×ＤＢ
を満たすことにより、輝度重心ＫＪが信号の位置に一致する。
【００５７】
すなわち、
ＤＲ１＝（１−ｚ）×ＤＲ
ＤＲ４＝ｚ×ＤＲ
ＤＧ２＝ＤＧ
ＤＧ５＝０
ＤＢ３＝（１−ｚ）×ＤＢ
ＤＢ６＝ｚ×ＤＢ
ただし、ｚ＝（１−１／ｗ）／（１＋３／ｗ）
と表せる。
【００５８】
このような補正処理により垂直重心補正されたデータを得ることができる。補正のために利用するドットＣ４，Ｃ５，Ｃ６はいわゆる「バランサー」として機能しており、各ドットＣは垂直方向ｖに隣接する上下いずれか（デルタ配列の向きで定まる）の同色ドットＣに対してバランサーの役割を担う。
【００５９】
上述の式（１），（２）に適用する各ドットＣの輝度データは、元々割り当てられたデータを補正した輝度データと、バランサーとしての輝度データ（０の場合もあり得る）と、の和になる。例えばドットＣ１に与えられる輝度データは、補正後の輝度データＤＲ１と、ドットＣ１が隣接の画素Ｐのためにバランサーとして働く際の輝度データと、の和になる。なお、両輝度データの算出及び加算は駆動部１０２が担い、また、両輝度データの最大値の合計の輝度レベルが表示可能に階調表示能力が設定される。
【００６０】
垂直重心補正法は、式（３）を利用すればプログレッシブ信号にも適用できることは言うまでもない。
【００６１】
垂直重心補正法によれば、第１表示形態と第２表示形態とでは対応する画素Ｐ内のドット配列（デルタ形の向き）が異なるにもかかわらず、当該対応する画素Ｐにおいて垂直方向ｖの輝度重心ＫＪは同じ位置に在る（輝度重心ＫＪの位置が変わることなく単に切り替え方向に画素Ｐが移動している）。従って、各画素Ｐの表示色、換言すれば表示画像に依らず、垂直方向ｖの解像度を向上することができる。
【００６２】
＜実施の形態２＞
実施の形態２では、駆動部１０２にが取得した画像データに対応の画像の走査線数と画面１０１Ａの走査線数とが異なる場合における表示装置１００の動作を説明する。
【００６３】
まず、駆動部１０２が、画面１０１Ａの走査線（既述のように画面１０１Ａにおいて１本の走査線は２本の行（例えば行Ｌ１，Ｌ２）で形成される）の数の４倍の走査線を有する画像（のデータ）を取得した場合に、４：１インタレース（１／４インタレースとも呼ぶ）で表示する方法を説明する。４：１インタレースは静的なインタレースと動的なインタレースとを含み、まず、静的な４：１インタレースを説明する。
【００６４】
静的なインタレースでは、駆動部１０２は、画面１０１Ａの走査線数の４倍の走査線を有する画像（のデータ）から４枚のインタレース画像（のデータ）を生成する。そして、これら４枚の画像の走査線同士を重ねる要領で４枚の画像に対応の４つの画像データを合成する。この際、合成方法として単純加算や平均化などの方法が適用可能である。このような方法によれば、画像の走査線を画面１０１Ａの走査線と同数になるように単に間引く（４つの画像データのうちの１つのみを利用する）場合とは異なり、表示に利用する情報量が多い。このため、画像上では滑らかな輪郭が画面１０１Ａ上では不連続になったりや画像上の細い横線が画面１０１Ａ上では消えてしまうといった不具合を低減することができる。つまり、画面１０１Ａよりも走査線が多い画像を適切に表示することができる。かかる効果は画面１０１Ａの解像度が低い場合に顕著に得られる。
【００６５】
次に、動的なインタレースでは、駆動部１０２は、画面１０１Ａの走査線数の４倍の走査線を有する画像（のデータ）から４枚のインタレース画像（のデータ）を生成する。そして、これら４枚の画像（のデータ）を、例えば実施の形態１に係る垂直重心補正法と以下に述べる配分法とを組み合わせて、元の画像を表示するための時間内に順次に表示する。このとき、例えば”配分法によって１番目及び２番目の画像を表示し、続いて垂直重心補正法によって３番目及び４番目の画像を表示する。
【００６６】
ここで、図１１〜図１４の模式図を参照しつつ、配分法による動作を説明する。なお、図１１及び図１２では画面１０１ＡのドットＣの配置を赤色（Ｒ），緑色（Ｇ）及び青色（Ｂ）の表示色のみで模式的に図示しており、図１１と図１３とが対応し、図１２と図１４とが対応する。なお、ここでは簡単のために偶奇フィールドの画像データＤＯ，ＤＥ（図４及び図５参照）を用いる場合について配分法を説明する。
【００６７】
配分法では、２種類の画素Ｐ１，Ｐ２を併用する。詳細には、画素Ｐ１はＧのドットを中心に有して４角形を成す隣接の５つのドットで以て形成される。他方、画素Ｐ２は、垂直方向ｖにおいて隣接する２つのＧのドットを含んで４角形を成す隣接の４つのドットで以て形成される。
【００６８】
そして、複数の画素Ｐ１が垂直方向ｖに並んでおり、又、複数の画素Ｐ２が垂直方向ｖに並んでおり、画素Ｐ１の列と画素Ｐ２の列とは水平方向ｈに交互に並んでいる。このとき、画素Ｐ１の列中、同じ行上のＲ及びＢのドットは、垂直方向ｖにおいて隣接する２つの画素Ｐ１で共有されている。また、画素Ｐ２の列中、Ｇのドットが、垂直方向ｖにおいて隣接する２つの画素Ｐ２で共有されている。以下、２つの画素間で共有されるドットを「共有ドット（又は共有サブピクセル）」と呼ぶ。
【００６９】
配分法では、画素Ｐ１の列と画素Ｐ２の列とを例えばフィールド毎に入れ換え、しかもこの入れ換えの前後において画素Ｐ１と画素Ｐ２とを画面１０１Ａ上で１行（ドット配列の１ライン）ずらす。これにより、インタレース表示を行う。
【００７０】
具体的には、駆動部１０２は、例えば奇フィールドの画像データＤＯ（図４参照）を取得すると、画面１０１Ａの第２番目の行Ｌ２上のドットＣ２２，Ｃ２４，Ｃ２６を画像上の行ＩＬ３上のデータＧ３１，Ｒ３２，Ｂ３２に基づいて駆動する。同様にして、画面１０１Ａの第４番目の行Ｌ４上のドットＣ４２，Ｃ４４，Ｃ４６を画像上の行ＩＬ５上のデータＧ５１，Ｒ５２，Ｂ５２に基づいて駆動する。
【００７１】
更に、駆動部１０２は、共有ドットＣ１１，Ｃ１３，Ｃ１５，Ｃ３１，Ｃ３３，Ｃ３５用の共有データｒ１１ｓ，ｂ１３ｓ，ｇ１５ｓ，ｒ３１ｓ，ｂ３３ｓ，ｇ３５ｓを、画像上で隣接する２つの行に対応した、画像データＤＯ上で隣接する行データ間から生成する。
【００７２】
例えば画像データＤＯ上の２つの行ＩＬ３，ＩＬ５上の各データＲ３１，Ｒ５１の値の各１／２を加算して、共有ドットＣ３１用の共有データｒ３１ｓを生成する。同様にして、各データＢ３１，Ｂ５１の値の各１／２を加算して共有ドットＣ３３用の共有データｂ３３ｓを生成し、又、各データＧ３２，Ｇ５２の値の各１／２を加算して共有ドットＣ３５用の共有データｇ３５ｓを生成する。また、各データＲ１１，Ｒ３１の値の各１／２を加算して共有ドットＣ１１用の共有データｒ１１ｓを生成し、又、各データＢ１１，Ｂ３１の値の各１／２を加算して共有ドットＣ１３用の共有データｂ１３ｓを生成し、又、各データＧ１２，Ｇ３２の値の各１／２を加算して共有ドットＣ１５用の共有データｇ１５ｓを生成する。なお、このとき、例えばデータＲ３１は半値ずつ（１：１で）ドットＣ１１，Ｃ３１に分配されている。
【００７３】
そして、駆動部１０２は、共有ドットＣ１１，Ｃ１３，Ｃ１５，Ｃ３１，Ｃ３３，Ｃ３５を共有データｒ１１ｓ，ｂ１３ｓ，ｇ１５ｓ，ｒ３１ｓ，ｂ３３ｓ，ｇ３５ｓに基づいて駆動する。
【００７４】
他方、駆動部１０１は、例えば偶フィールドの画像データＤＥ（図５参照）を取得すると、画面１０１Ａの第１番目の行Ｌ１上のドットＣ１１，Ｃ１３，Ｃ１５を画像上の行ＩＬ２上のデータＲ２１，Ｂ２１，Ｇ２２に基づいて駆動する。同様にして、画面１０１Ａの第３番目の行Ｌ３上のドットＣ３１，Ｃ３３，Ｃ３５を画像上の行ＩＬ４上のデータＲ４１，Ｂ４１，Ｇ４２に基づいて駆動する。
【００７５】
更に、駆動部１０２は、共有ドットＣ２２，Ｃ２４，Ｃ２６，Ｃ４２，Ｃ４４，Ｃ４６用の共有データｇ２２ｓ，ｒ２４ｓ，ｂ２６ｓ，ｇ４２ｓ，ｒ４４ｓ，ｂ４６ｓを、画像上で隣接する２つの行に対応した、画像データＤＥ上で隣接する行データ間から生成する。即ち、各データＧ２１，Ｇ４１の値の各１／２を加算して共有ドットＣ２２用の共有データｇ２２ｓを生成し、又、各データＲ２２，Ｒ４２の値の各１／２を加算して共有ドットＣ２４用の共有データｒ２４ｓを生成し、又、各データＢ２２，Ｂ４２の値の各１／２を加算して共有ドットＣ２６用の共有データｂ２６ｓを生成する。また、各データＧ４１，Ｇ６１の値の各１／２を加算して共有ドットＣ４２用の共有データｇ４２ｓを生成し、又、各データＲ４２，Ｒ６２の値の各１／２を加算して共有ドットＣ４４用の共有データｒ４４ｓを生成し、又、各データＢ４２，Ｂ６２の値の各１／２を加算して共有ドットＣ４６用の共有データｂ４６ｓを生成する。
【００７６】
そして、駆動部１０２は、共有ドットＣ２２，Ｃ２４，Ｃ２６，Ｃ４２，Ｃ４４，Ｃ４６を共有データｇ２２ｓ，ｒ２４ｓ，ｂ２６ｓ，ｇ４２ｓ，ｒ４４ｓ，ｂ４６ｓに基づいて駆動する。
【００７７】
ここで、隣接する６つのドットＣ１１，Ｃ１３，Ｃ２２，Ｃ３１，Ｃ３３，Ｃ４２を一例に挙げて説明をする。このとき、ドットＣ２２は、ドットＣ３１及びドットＣ３３と共に３角形を成す位置に配置されており、ドットＣ４２は、ドットＣ３１，Ｃ３３を通るラインに関してドットＣ２２とは反対側に配置されており、ドットＣ３１，Ｃ３３と共に３角形を成す位置に配置されている。
【００７８】
更に、ドットＣ１１及びドットＣ１３は、ドットＣ２２を中心に有する４角形を成すと共にドットＣ３１，Ｃ３３を通るライン（行Ｌ３にあたる）と平行なライン（行Ｌ１にあたる）上に配置されている。なお、ドットＣ１１は、ドットＣ２２，Ｃ４２を通るラインに関してドットＣ３１と同じ側に存在し、ドットＣ３１と同じ表示色を表示可能である。また、ドットＣ１３は、ドットＣ２２，Ｃ４２を通る上記ラインに関してドットＣ３３と同じ側に存在し、ドットＣ３３と同じ表示色を表示可能である。このとき、５つのドットＣ１１，Ｃ１３，Ｃ２２，Ｃ３１，Ｃ３３から成る第１ドット群が１つの画素Ｐ１を成し（図１３参照；第３表示形態）、４つのドットＣ２２，Ｃ３１，Ｃ３３，Ｃ４２から成る第２ドット群が１つの画素Ｐ２を成す（図１４参照；第４表示形態）。６つのドットＣ１１，Ｃ１３，Ｃ２２，Ｃ３１，Ｃ３３，Ｃ４２に関して、図１３の第３表示形態と図１４の第４表示形態とを切り換えることにより、この切り換えの前後において画素Ｐ１と画素Ｐ２とが画面１０１Ａ上で垂直方向ｖに１行（ドット配列の１ライン）ずれて、インタレース表示が可能である。
【００７９】
配分法によれば、画素Ｐ１，Ｐ２の輝度重心は正確に画素Ｐ１，Ｐ２の中心になるので、疑似的なインタレース表示を理想的に行うことができる。更に、共有データは、隣接する同じ表示色の２つのデータからデータ分配されて生成されるので、補間処理とは異なり、ノイズ成分を生じることはない。
【００８０】
このとき、かかる配分法では画面１０１Ａの走査線の幅中心、すなわち走査線の位置ないしは信号の位置は水平方向ｈに並ぶ画素Ｐ１，Ｐ２の中央（垂直方向ｖの中心）を通る。つまり、走査線の位置と画素Ｐ１，Ｐ２の（垂直方向ｖの）輝度重心とは一致する。一方、配分法と既述の垂直重心補正法とを比較すると、信号の位置は互いに画面１０１Ａの行（図２の行Ｌ１等参照）の半ピッチずれていることが分かる。すなわち、第３及び第４表示形態（図１３及び図１４参照）における表示画像の各走査線の割り当て位置は、既述の第１及び第２表示形態（図６〜図８参照）に対して垂直方向ｖにずれている。なお、第３表示形態と第４表示形態とは垂直方向ｖにドット配列の１ライン分ずれており、かかる点は第１表示形態と第２表示形態との関係と同様である。
【００８１】
このような動的インタレースによれば、静的インタレースによる上述の効果に加えて、以下の効果が得られる。すなわち、更に、上述のように所定の表示時間内に順次に複数の画像を表示するので、該表示時間内に処理前の画像データに対応の１枚の画像を表示する場合よりも、画像１枚あたりの表示時間が短い。これによりフリッカを抑制することができる。
【００８２】
次に、ハイビジョンの１０８０ｉのインタレース画像を、２７０本の走査線を有する画面１０１Ａで表示する場合を説明する。ハイビジョンは２：１インタレースなので、１フィールドの画像は５４０本の走査線数を有する。このため、１フィールド画像を２つの画像にインタレース分割することにより、１フレームの画像から４枚の画像を生成することができる。これにより、上述の静的及び動的インタレース表示が可能である。
【００８３】
また、各フィールド毎に、フィールド画像から生成された２枚の画像に垂直重心補正法又は配分法を適用して静的にインタレース表示することも可能である。また、各フィールド毎に垂直重心補正法と配分法とを切り替えることにより動的な２：１インタレース表示が可能である。
【００８４】
さて、上述の説明では画像の走査線が予め画面１０１Ａの走査線の４倍である場合を説明したが、そのようにはなっていない場合を次に説明する。
【００８５】
かかる場合、駆動部１０２は走査線変換を利用することによって、画面１０１Ａとは異なる走査線数で以て形成された画像データを適切に表示することができる。なお、例えば特開平７−１９９８５５号公報に、ドットがマトリクス状に配置された画面と表示すべき画像とで走査線数が異なる場合の走査線変換が開示されている。
【００８６】
このとき、画面１０１Ａの走査線数Ｍｄよりも信号の走査線数Ｍｓの方が大きい場合、走査線を間引くことになるが、単純に（Ｍｓ−Ｍｄ）本の走査線を間引いたのでは画像の信号の連続性が損なわれてしまい、その結果ぎくしゃくとした不自然な画像が表示される。このため、原信号を補間によって当該原信号の走査線数Ｍｓの数倍の走査線を有する信号に高密度変換し、その後、高密度化された信号から規則的にＭｄ本の信号（走査線）を抜き出す方法が採られる。
【００８７】
しかしながら、高密度信号から単に規則的に信号を抜き出すのでは、抜き出されたＭｄ本の信号（走査線）はＭｓ本の原信号中の多くの情報（走査線）を失ってしまっている。すなわち、画像の連続性は得られるが、精細感やシャープネスの点では良い画像を得ることは難しい。
【００８８】
このような問題に対しては、上述の４：１インタレースを適用することによって（第１乃至第４表示形態を交互に切り替えて画像を表示することによって）、精細感やシャープネスについて最適な表示を得ることができる。具体的な方法を図１５の模式図を参照しつつ説明する。
【００８９】
ここでは画面１０１Ａが４８０本の走査線（図２の行Ｌ１等にして９６０本の行）を有する場合を一例として考える。このとき、４：１インタレースによれば、４７９×４＋１＝１９１７本の走査線の画像を表示することができる。
【００９０】
この画面１０１Ａに走査線７６８本の画像の信号が入力される場合を考える。７６８＜１９１７なので、原信号（ないしは画像データ）を３倍に高密度化して、７６７×３＋１＝２３０２本の信号に変換する。なお、図１５中の破線で示す信号は高密度化変換により補間された信号（に対応のデータ）である。２３０２−１９１７＝３８５本なので、２３０２本の走査線を６本ごとに１本ずつ間引いて１９１７本の表示信号（ないしは画像データ）を生成し、この表示信号を用いて４：１インタレースを実施する。なお、このような信号処理はアナログ信号とデジタル信号（デジタルデータ）とを問わず実施可能である。
【００９１】
この方法によれば、原信号の情報の約５／６がそのまま使用され、情報のロスが抑えられる。また、信号を間引くので画像の連続性が失われるが、実際には画面１０１Ａの走査線数が少ない場合には画像が不連続に見えることは無い。
【００９２】
なお、信号の高密度化は少なくとも４：１インタレースのための走査線数となるように実施すれば良く、その必要数よりも多くなるように高密度化しても構わない。この場合、情報ロスは大きくなるが連続性がより改善される。また、必ずしも整数倍に高密度化する必要もなく、例えば上述の例において２．５倍に高密度変換しても良い（この場合は、２本の走査線を５本に高密度化することになる）。
【００９３】
他の一例として、４８０本の走査線を有する画面１０１Ａに１０８０ｉのインタレース信号を表示する場合を説明する。この場合、５４０本のフィールドデータを４倍の密度にした後、９本毎に１本間引く。このとき、上記４倍密度フィールドデータを前後のフィールドを参照して補間することによって、より精度が高い表示が可能となる。
【００９４】
ところで、上述の図１５の例において高密度信号中の補間された信号（データ）を表示信号に採用して４：１インタレース表示を実施すると、垂直方向ｖの先鋭度が低くなる場合がある。具体的には、細い横線がぼやっとした感じに表示される。しかし、かかる不具合は上述の処理によって得られた表示信号中の補間信号（補間データ）よりも当該表示信号中の原信号の全てを優先的に用いて配分法又は垂直重心補正法を適用するという方法によって改善可能である。
【００９５】
このとき、原信号の走査線数が画面１０１Ａの走査線数よりも少ない場合、原信号のみを表示すると画面１０１Ａ上に隙間が生じてしまう。すなわち、原信号が画面１０１Ａの走査線（図２の行Ｌ１等にして２行）よりも大きい間隔で画面１０１Ａ上に割り当てられるので、上記隙間が生じる。このような場合には上記隙間に在る走査線に補間信号（補間データ）を適用することにより、該隙間を解消することができる。つまり、高密度化された信号（ないしは画像データ）を間引く際に、原信号（ないしは画面１０１Ａよりも走査線が少ない画像データ）以外の信号、すなわち補間信号（補間データ）を間引く。
【００９６】
一例として、図１６の模式図を参照しつつ、４８０本の走査線を有する画像を７６８本の走査線を有する画面１０１Ａに表示する場合を説明する。この例の場合、該画像の信号を５倍に高密度化して４７９×５＋１＝２３９６本に変換し、この高密度信号を２５本間隔で間引いて２３０２本の走査線を有する表示信号を生成する。この表示信号中の原信号は実際の駆動に利用する（図１６中の細線矢印を参照）と共に、表示信号中の原信号の間隔が画面１０１Ａの走査線の間隔よりも広い場合には原信号の間にある補間信号をも実際の駆動に利用する（図１６中の太線矢印を参照）。
【００９７】
＜実施の形態３＞
（アナログの）入力信号ＶＩＮはＡ／Ｄ１２０によってサンプリングされ、アナログデジタル変換される（図１参照）。なお、入力信号ＶＩＮは赤色、緑色及び青色に関する画像信号ＳＲ，ＳＧ，ＳＢ（図１７参照）を含んでいる。
【００９８】
図１７に入力信号の一般的なサンプリング方法を説明するための波形図の一例を示す。なお、図１７では横軸は時間を示し、縦軸に信号レベル、換言すれば輝度レベルを示している。
【００９９】
一般的なサンプリング方法では、信号ＳＲ，ＳＧ，ＳＢの全てを、画面１０１Ａ上における画素Ｐ（の中心）の相対的位置関係ないしは空間周波数に対応するタイミングでサンプリングする（図１７中の○印を参照）。つまり、３色とも同じ時間（タイミング）で画像信号ＳＲ，ＳＧ，ＳＢをサンプリングする。
【０１００】
かかる一般的なサンプリング方法を実施するための回路の一例を図１８のブロック図を示す。図１８に示すように、画像信号ＳＲ，ＳＧ，ＳＢは伝送系（ないしは伝送経路）８０Ｒ，８０Ｇ，８０Ｂを通ってＡ／Ｄ１２０Ｒ，１２０Ｇ，１２０Ｂにそれぞれ入力される。なお、各Ａ／Ｄ１２０Ｒ，１２０Ｇ，１２０Ｂにはクロック信号がバッファ１５１を介して入力される。かかる構成により、Ａ／Ｄ１２０Ｒ，１２０Ｇ，１２０Ｂはバッファ１５１の出力をトリガにして画像信号ＳＲ，ＳＧ，ＳＢを標本化してディジタル信号に変換する。
【０１０１】
次に、図１９に３倍サンプリング（ドット＝サンプリングやサブ＝サンプリングとも呼ぶ）を説明するための波形図の一例を示す。なお、図１９は図１７と同様に図示される。
【０１０２】
３倍サンプリングでは、サンプリング位相をずらして信号ＳＲ，ＳＧ，ＳＢをサンプリングする（図１９中の○印参照）。具体的には、サンプリング周波数を上述の一般的なサンプリング方法の３倍に設定し、各ドットＣの画面１０１Ａ上での相対的位置関係に対応したタイミングで各ドットＣの表示色に対応する画像信号ＳＲ，ＳＧ又はＳＢをサンプリングする（ここではＲ→Ｇ→Ｂの順番でサンプリングする）。そして、サンプリングされたデータで以て対応のドットＣを駆動する。３倍サンプリングによれば、デルタ配列されたドットＣで構成された画面１０１Ａにおいて水平方向ｈの解像度を高めることができる。
【０１０３】
３倍サンプリングを実施するための回路の一例を図２０のブロック図を示す。図２０に示すように、３倍サンプリング用の回路は上述の図１８の回路においてバッファ１５１を標本化パルス発生部１５０に変えた構成を有している。
【０１０４】
標本化パルス発生部１５０はクロックを受信し、当該クロックを利用して各ドットＣの相対位置関係に対応したタイミングで以てパルスを出力する。この際、標本化パルス発生部１５０は各ドットＣの表示色に対応してＡ／Ｄ１２０Ｒ，１２０Ｇ又は１２０Ｂのいずれかにパルスを送る。なお、標本化パルス発生部１５０は、例えば、従来のサンプリング周波数に対して位相を１２０度ずつずらすことにより各Ａ／Ｄ１２０Ｒ，１２０Ｇ，１２０Ｂへの出力パルスを生成する。
【０１０５】
そして、標本化パルス発生部１５０からのパルスを受信したＡ／Ｄ１２０Ｒ，１２０Ｇ又は１２０Ｂは画像信号ＳＲ，ＳＧ又はＳＢをサンプリングする。
【０１０６】
３倍サンプリングによれば、上述のように水平解像度が高まると共にデルタ配列型画素に特有のギザギザとした輪郭が滑らかになるので、滑らかな質感の画像を得ることができる。特に、デルタ配列型画素の場合、ＲＧＢの配列が画素内において２次元的であるため、３倍サンプリングによって斜め方向の描画特性が大きく向上する。ＰＤＰのような対角１００ｃｍ程度の大画面１０１Ａにおいては、観視する人が必ずしも最適視認距離まで離れているとは限らず、最適視認距離よりも短い距離で観視する場合も想定する必要があるが、そのような場合であっても３倍サンプリングによれば上述の斜め方向の描画特性の向上が顕著に得られる。
【０１０７】
最適視認距離は、ＲＧＢからなるドットＣが肉眼で見分けられなくなる距離を指し、画面１０１Ａが大きくなるに従って長くなり、通常２〜４ｍ程度になる。したがって、各ドットＣが個別に駆動される大画面は、観視者が無意識に最適視認距離よりも短い距離内、すなわちドットＣが肉眼で見分けられる距離内で観視されることが多くなる傾向がある。ＲＧＢの各ドットが分離して見えている状態では、水平方向のざらつき感が知覚される。こうした状況はドットＣの大きくなるデルタ配列で顕著であるが、画素Ｐ内でＲＧＢのドットが垂直方向ｖに一列に並んでいるストライプ配列型画素（図３６参照）においても同様の現象が起こりうる。なお、図３６に示すようにストライプ配列型画素ＰではドットＣが水平方向ｈに一直線に並んでおり、例えばＲ，Ｂ，Ｇの順序に並んでいる。
【０１０８】
したがって、３倍サンプリングによって水平解像度を高めて緻密で滑らかな輪郭の画像を表示させることは、近くで観ても美しい画像を実現することができるという利点がある。なお、上述のように３倍サンプリングはデルタ配列型画素Ｐを有する画面１０１Ａにおいて斜め方向の線を緻密に表現できるという大きな利点があるが、実験の結果、ストライプ配列画素Ｐを有する画面においても水平解像度向上効果は同様に得られ、輪郭の滑らかさを改善することができることが確認された。
【０１０９】
しかし、３倍サンプリングを用いるとＲＧＢの組み合わせで表現していた１個の点の色を分解して表示するので、輪郭部（例えば黒表示（非発光）領域との境界付近）などで色のにじみないしは色付きが生じる場合がある。これの原因の一つは信号の伝送系に起因すると考えられ、具体的には信号が回路内を伝送する際にローパスフィルタ（ＬＰＦ）を通過した状態になり、輪郭部に対応の波形がなだらかに変形するためと考えられる。
【０１１０】
ここで、図２１の最上段に示すように配列された６つの画素Ｐに対して、左の３つの画素Ｐを黒表示にし又右の３つの画素Ｐを白表示にするための無彩色画像信号（図２１の２段目の波形図を参照）が輝度信号として入力され、これを標本化する場合を考える。なお、かかる場合、画像信号ＳＲ，ＳＧ，ＳＢのいずれもが図２１の２段目に図示される波形のように黒表示と白表示との境界において急峻に変化する。
【０１１１】
上述のように一般的なサンプリングでは各画素Ｐ毎にＲ，Ｇ，Ｂを全て同じ標本化点（図２１の３段目の図を参照）でサンプリングするので、当該一般的なサンプリングを行う回路（図１８参照）において伝送系８０Ｒ，８０Ｇ，８０Ｂが理想的なものである場合、Ａ／Ｄ１２０Ｒ，１２０Ｇ，１２０Ｂの出力はいずれも図２１の最下段の波形図のように左右が黒と白に区分されたディジタル信号になる。
【０１１２】
しかし、実際には伝送系８０Ｒ，８０Ｇ，８０Ｂを通った後の信号、換言すればＡ／Ｄ１２０Ｒ，１２０Ｇ，１２０Ｂに入力される信号は、図２２に示すように、上述の急峻な変化部分がなだらかなに変形した波形をしている。このため、Ａ／Ｄ１２０Ｒ，１２０Ｇ，１２０Ｂの出力は、図２３に示すように、黒から暗い灰色及び明るい灰色を経て白に変化するディジタル信号になる。
【０１１３】
このような現象は３倍サンプリングにおいても生じうる（図２４参照）。すなわち、上述のなだらかに変形した波形（図２４の２段目には図２２の波形を図示している）を３倍サンプリングすると、Ａ／Ｄ１２０Ｒ，１２０Ｇ，１２０Ｂの出力は図２４の最下段に図示するように多段階に遷移するディジタル波形になる。このとき、３倍サンプリングではＲ，Ｇ，Ｂのサンプリング位相がずれているので、Ｒ，Ｇ，Ｂ毎にサンプリングされた波形が異なる。このため、黒表示と白表示との境界付近、すなわち輪郭部では様々な色を呈するので、輪郭部での色付きないしは色にじみといった現象が視認される。図２４の例では色付きは３画素分の領域に及ぶ。
【０１１４】
こうした色付きの問題は、特にコンピュータ用ディスプレイモニタ等において細かい文字を表示させると顕著に認識される。
【０１１５】
そこで、実施の形態３では３倍サンプリングを用いた場合に伝送系に起因して生じる色付きを低減する処理を説明する。図２５のブロック図に示すように、実施の形態３に係る表示装置では、既述の図２０の構成に対して伝送系８０Ｒ，８０Ｇ，８０ＢとＡ／Ｄ１２０Ｒ，１２０Ｇ，１２０Ｂとの間に高域強調部９０Ｒ，９０Ｇ，９０Ｂがそれぞれ挿入されている。
【０１１６】
このため、駆動部１０２（図１参照）は、伝送系８０Ｒ，８０Ｇ，８０Ｂを介して画像信号ＳＲ，ＳＧ，ＳＢを受信し、受信した画像信号ＳＲ，ＳＧ，ＳＢの高域を高域強調部９０Ｒ，９０Ｇ，９０Ｂによって強調する（高周波成分を低周波成分に比して相対的に大きくする）。これにより、図２２及び図２４に示すなだらかな波形は図２６の２段目に示す波形のように、急峻度が増す（回復する）。そして、当該高域が強調された画像信号ＳＲ，ＳＧ，ＳＢをＡ／Ｄ１２０Ｒ，１２０Ｇ，１２０Ｂによって複数のドットＣの配置位置に応じたタイミングでサンプリングし、対応のドットＣの表示色に関するデータ（具体的には輝度データ。後述の表示色データにあたる）を取得する（すなわち３倍サンプリングする）。
【０１１７】
なお、Ａ／Ｄ１２０Ｒ，１２０Ｇ，１２０Ｂにはダイナミックレンジが存在するため、Ａ／Ｄ１２０Ｒ，１２０Ｇ，１２０Ｂにおいて標本化の対象となる波形は上記高域強調された波形において遷移領域前後のオーバーシュート部分がカットされている（図２６の４段目を参照）。
【０１１８】
図２６及び図２４の両最下段の波形を比較すればわかるように、標本化の前に信号に高域強調処理を施すことによって色付き領域を狭めることができる。つまり、色付きを低減することができる。なお、強調する高域の範囲設定は色付き領域の低減度合いに応じて適宜に調整・設定される。
【０１１９】
実施の形態３に係る色付き低減方法は、デルタ配列型画素を備えた画面１０１Ａのみならず、ストライプ配列型画素Ｐ（図３６参照）を備えた画面に対しても適用できる。
【０１２０】
＜実施の形態４＞
さて、色付きの原因の他の一つとして、ＲＧＢ各色の輝度の視感度特性による本質的な違いに起因するものが考えられる。例えば、輝度の高いＧが中央に配置されＲ，Ｇ，Ｂの順で並ぶ画素と、輝度の低いＢが中央に配置されＧ，Ｂ，Ｒの順で並ぶ画素とでは、白い縦線を表示した場合に該白い縦線の見え方が全く異なる。すなわち、ＲＧＢの配列では白線に見えるものが、ＧＢＲの配列ではＧとＢとが混色したシアンがかった線とＢとＲとが混色したマゼンダがかった線からなる明確な２本の縦線として視認されてしまう。なお、Ｂ，Ｒ，Ｇの順の配列ではこの順序で輝度が高くなるので３色が比較的混色しやすく、このためＢＲＧ配列とＲＧＢ配列とではおおむね同程度の視認性となる。
【０１２１】
このような現象により、例えば白や黄色の図形などの右端の輪郭が赤っぽく見えたり、左端の輪郭が緑っぽく見えたりする。主観評価の結果では、赤い色付きが目立つことが多かった。
【０１２２】
そこで、実施の形態４では３倍サンプリングを用いた場合に視感度特性による輝度の違いに起因して生じる色付きを低減する処理を説明する。該処理において、駆動部１０２（図１参照）はまず図２７に示すように３倍サンプリングの際にサンプリング対象の信号だけでなく残りの２つの信号についてもサンプリングする（図２７中の○印参照）。例えばあるＲのドットＣに対応した位置でＧ及びＢのデータも併せてサンプリングする。つまり、サンプリング周波数を上述の一般的なサンプリング方法の３倍に設定し、各ドットＣの画面１０１Ａ上での相対的位置関係に対応したタイミングで全ての表示色の信号ＳＲ，ＳＧ及びＳＢをサンプリングする。なお、サンプリングしたＲ，Ｇ，Ｂのデータ（具体的には輝度データ）のうちで、ドットＣの表示色に対応するデータを「表示色データ」のように呼び、残りの２つのデータを「参照データ」のように呼ぶ。
【０１２３】
そして、駆動部１０２は、表示画像中の輪郭部付近について、隣接するドットＣの参照データを参照して表示色データを補正する。なお、表示画像の他の部分ついて同様の参照・補正をしても構わない。
【０１２４】
具体的には、隣接するＲ，Ｇ，ＢのドットＣＲ，ＣＧ，ＣＢについて上述のサンプリング方法を用いると、ドットＣＲについてＲ，Ｇ，ＢのデータＤＲｒ，ＤＧｒ，ＤＢｒを得、ドットＣＧについてＲ，Ｇ，ＢのデータＤＲｇ，ＤＧｇ，ＤＢｇを得、ドットＣＢについてＲ，Ｇ，ＢのデータＤＲｂ，ＤＧｂ，ＤＢｂを得る。そして、Ｒ，Ｇ，ＢのドットＣＲ，ＣＧ，ＣＢの補正後の表示色データをＤＲＲ，ＤＧＧ，ＤＢＢとすると、
0003839332.tif 000005
を満たすように補正後の表示色データＤＲＲ，ＤＧＧ，ＤＢＢを決定する。なお、係数ｓ，ｔ，ｕの値の組み合わせを色毎に独立に設定しても良い。
【０１２５】
ここで、図２を参照して、画面１０１Ａ上で水平方向ｈに大略沿ってデルタ形に（ジグザクに）隣接するドットＣ１１，Ｃ２２，Ｃ１３，Ｃ２４，Ｃ１５を一例に挙げる。式（４）において、ＧのドットＣ２２の表示色データＤＧｇは、ドットＣ２２の左に最隣接するＲのドットＣ１１の参照データＤＧｒ及びドットＣ２２の右に最隣接するＢのドットＣ１３の参照データＤＧｂを参照して補正され、データＤＧＧが生成される。同様に、式（４）において、ＢのドットＣ１３の表示色データＤＢｂは、ドットＣ１３の左側のＧのドットＣ２２の参照データＤＢｇ及びドットＣ１３の右側のＲのドットＣ２４の参照データＤＢｒを参照して補正され、データＤＢＢが生成される。同様に、式（４）において、ＲのドットＣ２４の表示色データＤＲｒは、水平方向ｈにおいてドットＣ２４に最隣接する両側のドットＣ１３，Ｃ１５の参照データＤＲｂ，ＤＲｇを参照して補正され、データＤＲＲが生成される。つまり、画素Ｐという規定にとらわれることなく、隣接するドットＣの参照データを参照する。
【０１２６】
このとき、例えばＧのドットＣ２２の表示色データＤＧｇを”ＤＧｇ［Ｃ２２］”のように表記すると、上述の例に関して式（４）は、
0003839332.tif 000006
と表せる。
【０１２７】
なお、例えばドットＣ２２の表示色データＤＧｇの補正に際して、当該ドットＣ２２を取り囲むように隣接するドットＣ１１，Ｃ１３，Ｃ３１，Ｃ３３の参照データを参照しても良い。このとき、式（４）中の例えばデータＤＧＧについて、ｓ×ＤＧｒは２つのＲのドットＣ１１，Ｃ３１を参照して生成し（例えば両ドットＣ１１，Ｃ３１の平均値をＤＧｒとして用いる）、ｕ×ＤＧｂは２つのＢのドットＣ１３，Ｃ３３を参照して生成する。
【０１２８】
係数ｓ，ｔ，ｕの設定の一例として、例えばドットＣＲの表示色データＤＲｒの係数ｔを、周囲のドットＣＢ，ＣＧが有する参照データ（ここではドットＣＲの表示色であるＲのデータ）ＤＲｂ，ＤＲｇの係数ｓ，ｕよりも、大きい値に設定する（ドットＣＧ，ＣＢについても同様である）。
【０１２９】
なお、上述の例では周囲の２つのドットＣの参照データを用いる場合を説明したが、さらに多くの周囲のドットＣの参照データを参照するようにしても良い。
【０１３０】
ｔ＝０．５，ｓ＝ｕ＝０．２５の場合の例を図２８を参照しつつ説明する。図２８の最上段に示すような１ドット幅、２ドット幅及び３ドット幅の完全な矩形の信号が入力された場合を考える。なお、このような波形は実際のアナログ信号としてはあり得ないが、説明のために理想的な場合として挙げる。かかる入力信号に対して上述の補正を行うと、図２８の最下段のヒストグラムに示すような信号（データ）が得られる。また、より現実的な例として画像の幅が広い（信号の矩形の幅が広い）場合を図２９に示す。
【０１３１】
図２８及び図２９から分かるように、上述の補正によれば入力信号の輪郭部の波形を、実施の形態３の処理後の波形（図２６参照）と同様にすることができる。すなわち、補正された信号において輪郭部付近のレベルを入力信号よりも低くすることができる。なお、上述の例では、入力信号の前後に（左端輪郭部の左側及び右端輪郭部の右側に）レベルの低い成分が生じる。
【０１３２】
かかる補正データによれば輪郭エッジの色（の輝度）を減衰してＲＧＢの視感度特性の差による色付きを実用的に問題が無いレベルにまで改善することができる。このとき、隣接のドットＣの参照データを参照するので、適切な（過度ではない）減衰が図れる。具体的には、輪郭エッジがＲの場合、上述の補正をしなければ輪郭部が赤っぽく又はマゼンダがかって見えるが、補正データによれば輪郭エッジのＲの強度（輝度）が弱められるので、色付きが急激に認識されにくくなる。
【０１３３】
このとき、実施の形態３，４の処理を組み合わせることにより、色付きの程度を細かく制御することが可能である。なお、実施の形態３に係る高域強調処理はサンプリング前のアナログ信号に対して実施される点に鑑みれば、画像信号が（サンプリング後の）デジタルデータとして駆動部１０２に与えられる場合には実施の形態４に係る補正処理によって色付きを低減することができる。
【０１３４】
ところで、上述の補正は色付きを低減可能ではある一方で、水平解像度を低下させる要因になる。つまり、上述の補正において色付きの低減と水平解像度を向上とはトレードオフの関係にある。そこで、次に、この点を考慮した一例として、画像信号の帯域に基づいた係数ｓ，ｔ，ｕの設定を説明する。
【０１３５】
現在、実用化されている放送用信号フォーマットや記録用画像フォーマットはほぼ全て、輝度信号の帯域よりも色信号の帯域が狭く定義されている。色信号の帯域が狭い理由は、人の視覚特性において輝度に対する空間周波数特性に比べると色に対する空間周波数特性が劣っていることによる。すなわち、人の視覚特性には、明るさによる微細な模様は認識できても、色の違いによる微細な模様は認識できない周波数領域が存在する。このような点を踏まえて例えばＴＶ信号は上述のように輝度信号と色差信号とで帯域が異なっている。
【０１３６】
かかる事実に着目して、例えば、輝度の高いＧに対する補正（式（４）参照）の係数ｓ，ｔ，ｕを、
ｔ＝１，ｓ＝ｕ＝０
に設定し、Ｒ，Ｂに対する補正（式（４）参照）の係数ｓ，ｔ，ｕを
ｔ＜１，ｓ≠０，ｕ≠０
に設定する。Ｒ，Ｂについて
ｔ＝０．５，ｓ＝ｕ＝０．２５
とした場合の例を図３０及び図３１に図２８及び図２９と同様に示す。
【０１３７】
このような係数設定によれば輪郭部での輝度の差が強調され、水平解像度の低下を抑えつつ色付きを低減することができる。
【０１３８】
さて、色毎に補正係数ｓ，ｔ，ｕを調整して最適化する例として、隣接するドットの色が当然に違うことに着目してｓ≠ｕとする場合が考えられる。例えばＲ，Ｇ，Ｂのドットがこの順序で配置された画面１０１Ａにおいて白表示を行う場合、Ｒが左端の輪郭エッジになるように画素を構成すると、Ｒの隣にはＲよりも輝度が高いＧのドットが点灯している。このため、当該左端輪郭部ではＲとＧとが混合され易い。これに対して、Ｒが右端の輪郭エッジになるように画素を構成すると、Ｒの隣で点灯しているＢのドットはＲよりも輝度が低いので、Ｒが分離して見え易い。このため、当該右端輪郭部が赤っぽく色付いて見える。かかる色付きは以下のようにして低減可能である。
【０１３９】
すなわち、上述のＲが右端の輪郭エッジになるような白表示において当該Ｒのドットが参照するＧのドットは消灯状態にある。かかる点に着目すれば、Ｒに対する補正（式（４）参照）の係数ｓ，ｕをｓ＜ｕに設定することによって、Ｒの補正後の輝度がｓ＝ｔの場合よりも抑制される。その結果、点灯状態にある隣接するＲ，Ｂの輝度差が小さくなり、右端輪郭部の赤っぽい色付きを低減することができる。
【０１４０】
同様に考えれば、ｓ＞ｕなる設定により、左端輪郭エッジでのＧを目立ちにくくすることができる。
【０１４１】
実施の形態４に係る色付き低減方法は、デルタ配列型画素を備えた画面１０１Ａのみならず、ストライプ配列型画素Ｐ（図３６参照）を備えた画面に対しても適用できる。具体的には、図３６及び式（４）を参照して、ストライプ配列型画素ＰではＲ，Ｇ，ＢのドットＣが画面上で水平方向ｈに一直線に並んでおり、水平方向ｈに並ぶ３つのドットＣに関して、例えばＧのドットＣの表示色データＤＧｇは当該ＧのドットＣの左右に最隣接して配置されたＢ及びＲのドットＣの参照データＤＧｂ，ＤＧｒを参照して補正する。
【０１４２】
また、実施の形態４に係る処理は、例えばＤＶＩ（digital visual interface）を用いたシステムによって画像データがデジタルの入力信号ＶＩＮで与えられる場合にも応用可能である。
【０１４３】
このとき、駆動部１０２は、各ドットＣに対応する表示画像上の各画素の表示色に関するデータ（既述の色データＤ１１等（図３参照）に対応）をデジタルの画像データとして取得する。換言すれば、駆動部１０２は、表示画像上の各画素の表示色に関するデータを各ドットＣに割り当て、当該各データを対応のドットＣの表示色に関する表示色データ及びそのドットＣの表示色以外の表示色（つまり他のドットＣの表示色）に関する参照データとして取得する。
【０１４４】
ここで、上述の３倍サンプリングと同様の考え方から表示画像上の各画素は各ドットＣの配置位置（位置関係）に対応して規定されるのが望ましく、入力画像データからそのような規定を満たす画像データを取得することは例えば補間処理等によって可能である。また、入力信号ＶＩＮによっては画面１０１Ａにおける水平方向ｈのドット数と画像（データ）における対応の方向の画素数とが等しい場合（例えば画面１０１Ａの行Ｌ１上のドットＣの総数が画像の行ＩＬ１上の色データＤ１１，Ｄ１２，…の総数と等しい場合）もあるが、両者が異なっている場合には例えば画像データの補間処理によって両者を等しくすることにより上述の画像データを取得する。
【０１４５】
そして、表示画像中の輪郭部付近について、隣接するドットＣの参照データを参照して画像データを補正する。これによっても上述の色付きを低減することができる。
【０１４６】
なお、駆動部１０２は、アナログの入力信号ＶＩＮを受信し（３倍サンプリングを用いない方法により）デジタル変換した画像データを、上述のデジタルの入力信号ＶＩＮとして取得することも可能である。
【０１４７】
＜実施の形態１〜４の変形例＞
現行の一般的な画像信号では、画像の水平方向のデータはアナログ信号である一方で、垂直方向のデータは走査線という形で既にサンプリングされた状態にある。かかる点に鑑みれば、デルタ配列型画素Ｐを備えた画面１０１Ａに対して、実施の形態１又は２に係る垂直解像度を向上させる手段と、実施の形態３又は４に係る水平解像度を向上すると共に色付きを低減する手段とを互いに組み合わせることが可能である。このような組み合わせによって総合的に解像度が最適化された、表示品質の高い表示装置１００を得ることができる。
【０１４８】
３倍サンプリングではＲＧＢの各ドットを独立に扱うので、３倍サンプリングと疑似インタレースとの組み合わせは、一見、矛盾するように見える。しかし、３倍サンプリングされたＲＧＢのデータを１セットとして扱うことにより、３倍サンプリングと疑似インタレースとを組み合わせることは可能である。すなわち、かかる組み合わせでは、水平方向についてはドットの位置情報をそのまま用いる一方で、垂直方向については輝度重心と信号位置との偏差に基づくデータ処理をする。
【０１４９】
なお、表示部１０１の行数と画像の走査線数とが等しいなどの場合には、行毎に画像の走査線を割り当てることによって、疑似インタレースを用いずに、実施の形態３，４に係る手段を適用可能である。
【０１５０】
【発明の効果】
請求項１に係る発明によれば、各画素において（すなわち画素の表示色に依らず）、第１方向の輝度重心が、表示画像の対応する走査線が割り当てられた画面上の位置に大略一致するように、画像データを補正する。このため、第１表示形態と第２表示形態とでは対応する画素内のドット配列（デルタ形の向き）が異なるにもかかわらず、当該対応する画素において第１方向の輝度重心は同じ位置に在る。従って、各画素の表示色、換言すれば表示画像に依らず、第１方向の解像度を向上することができる。
【０１５１】
請求項２に係る発明によれば、複数の画像データを合成するので、画像の走査線を画面の走査線と同数になるように単に間引く（複数の画像データのうちの１つのみを利用する）場合とは異なり、表示に利用する情報量が多い。このため、画像上では滑らかな輪郭が画面上では不連続になったりや画像上の細い横線が画面上では消えてしまうといった不具合を低減することができる。つまり、画面よりも走査線が多い画像を適切に表示することができる。
【０１５２】
本発明によれば、画像データに対応の画像を表示するための時間内に順次に複数の画像を表示するので、画像の走査線を画面の走査線と同数になるように単に間引く（複数の画像データのうちの１つのみを利用する）場合とは異なり、表示に利用する情報量が多い。このため、画像上では滑らかな輪郭が画面上では不連続になったりや画像上の細い横線が画面上では消えてしまうといった不具合を低減することができる。つまり、画面よりも走査線が多い画像を適切に表示することができる。更に、上述のように上記表示時間内に順次に複数の画像を表示するので、該表示時間内に画像データに対応の１枚の画像を表示する場合よりも、画像１枚あたりの表示時間が短い。これによりフリッカを抑制することができる。
【０１５３】
本発明によれば、第１乃至第４表示形態を交互に切り替えて画像を表示するので、データの間引き処理を行っても、精細感やシャープネスについて最適な表示を得ることができる。
【０１５４】
本発明によれば、元々の画像データ（画面よりも少ない走査線で以て形成されている画像データ）の全てを用いるので、第１方向の先鋭度を改善することができる。
【０１５５】
本発明によれば、高域強調処理によってサンプリング対象の波形の急峻性を増すことができるので、伝送系に起因して表示画像の輪郭部に生じる色付きを低減することができる。
【０１５６】
本発明によれば、隣接するドットの参照データを参照して画像データを補正するので、表示画像の輪郭エッジの色（の輝度）を適切に調整することができ、その結果、各ドットの表示色についての視感度特性に起因して表示画像の輪郭部に生じる色付きを低減することができる。
【０１５７】
本発明によれば、隣接するドットの参照データを参照して画像データを補正するので、表示画像の輪郭エッジの色（の輝度）を適切に調整することができ、その結果、各ドットの表示色についての視感度特性に起因して表示画像の輪郭部に生じる色付きを低減することができる。
【０１５８】
本発明によれば、隣接するドットの参照データを参照して画像データを補正するので、表示画像の輪郭エッジの色（の輝度）を適切に調整することができ、その結果、各ドットの表示色についての視感度特性に起因して表示画像の輪郭部に生じる色付きを低減することができる。
【図面の簡単な説明】
【図１】  本発明に係る表示装置の模式的なブロック図である。
【図２】  本発明に係る表示装置の画面を説明するための模式図である。
【図３】  １フレーム分の画像データの構成を説明するための模式図である。
【図４】  インタレース信号における奇フィールド分の画像データの構成を説明するための模式図である。
【図５】  インタレース信号における偶フィールド分の画像データの構成を説明するための模式図である。
【図６】  表示装置の実施の形態１に係る動作に関連の動作を説明するための模式図である。
【図７】  表示装置の実施の形態１に係る動作に関連の動作を説明するための模式図である。
【図８】  表示装置の実施の形態１に係る動作を説明するための模式図である。
【図９】  表示装置の実施の形態１に係る動作を説明するための模式図である。
【図１０】  表示装置の実施の形態１に係る動作を説明するための模式図である。
【図１１】  表示装置の実施の形態２に係る動作を説明するための模式図である。
【図１２】  表示装置の実施の形態２に係る動作を説明するための模式図である。
【図１３】  表示装置の実施の形態２に係る動作を説明するための模式図である。
【図１４】  表示装置の実施の形態２に係る動作を説明するための模式図である。
【図１５】  表示装置の実施の形態２に係る動作を説明するための模式図である。
【図１６】  表示装置の実施の形態２に係る動作を説明するための模式図である。
【図１７】  一般的なサンプリング方法を説明するための波形図である。
【図１８】  一般的なサンプリング方法を説明するためのブロック図である。
【図１９】  ３倍サンプリングを説明するための波形図である。
【図２０】  ３倍サンプリングを説明するためのブロック図である。
【図２１】  理想的な伝送系での一般的なサンプリング方法を説明するための図である。
【図２２】  実際の伝送系を説明するための波形図である。
【図２３】  実際の伝送系での一般的なサンプリング方法を説明するための図である。
【図２４】  実際の伝送系での３倍サンプリングを説明するための図である。
【図２５】  実施の形態３に係る表示装置を説明するためのブロック図である。
【図２６】  実施の形態３に係る表示装置の動作を説明するための図である。
【図２７】  表示装置の実施の形態４に係る動作を説明するための波形図である。
【図２８】  表示装置の実施の形態４に係る動作を説明するための模式図である。
【図２９】  表示装置の実施の形態４に係る動作を説明するための模式図である。
【図３０】  表示装置の実施の形態４に係る動作を説明するための模式図である。
【図３１】  表示装置の実施の形態４に係る動作を説明するための模式図である。
【図３２】  第１の従来技術に係る表示装置を説明するための模式図である。
【図３３】  第１の従来技術に係る表示装置を説明するための模式図である。
【図３４】  第１の従来技術に係る表示装置を説明するための模式図である。
【図３５】  第２の従来技術に係る表示装置を説明するための模式図である。
【図３６】  ストライプ配列型画素を説明するための模式図である。
【符号の説明】
１００  表示装置、１０１  ＰＤＰ（表示部）、１０１Ａ  画面、１０２  駆動部、９０Ｒ，９０Ｇ，９０Ｂ  高域強調部、１２０，１２０Ｒ，１２０Ｇ，１２０Ｂ  標本化部、Ｃ，Ｃ１〜Ｃ６，ＣＲ，ＣＧ，ＣＢ  ドット、Ｄ，ＤＥ，ＤＯ  画像データ、ＤＲｒ，ＤＧｇ，ＤＢｂ  表示色データ、ＤＧｒ，ＤＢｒ，ＤＲｇ，ＤＢｇ，ＤＲｂ，ＤＧｂ  参照データ、ＫＪ  輝度重心、ＳＲ，ＳＧ，ＳＢ  画像信号、Ｐ，Ｐ１，Ｐ２  画素、ｖ  垂直方向（第１方向）、ｈ  水平方向（第２方向）。
【図１】
0003839332.tif 000007
【図２】
0003839332.tif 000008
【図３】
0003839332.tif 000009
【図４】
0003839332.tif 000010
【図５】
0003839332.tif 000011
【図６】
0003839332.tif 000012
【図７】
0003839332.tif 000013
【図８】
0003839332.tif 000014
【図９】
0003839332.tif 000015
【図１０】
0003839332.tif 000016
【図１１】
0003839332.tif 000017
【図１２】
0003839332.tif 000018
【図１３】
0003839332.tif 000019
【図１４】
0003839332.tif 000020
【図１５】
0003839332.tif 000021
【図１６】
0003839332.tif 000022
【図１７】
0003839332.tif 000023
【図１８】
0003839332.tif 000024
【図１９】
0003839332.tif 000025
【図２０】
0003839332.tif 000026
【図２１】
0003839332.tif 000027
【図２２】
0003839332.tif 000028
【図２３】
0003839332.tif 000029
【図２４】
0003839332.tif 000030
【図２５】
0003839332.tif 000031
【図２６】
0003839332.tif 000032
【図２７】
0003839332.tif 000033
【図２８】
0003839332.tif 000034
【図２９】
0003839332.tif 000035
【図３０】
0003839332.tif 000036
【図３１】
0003839332.tif 000037
【図３２】
0003839332.tif 000038
【図３３】
0003839332.tif 000039
【図３４】
0003839332.tif 000040
【図３５】
0003839332.tif 000041
【図３６】
0003839332.tif 000042